(57)【要約】【課題】建設に必要な鉄骨材料の発注を、データ入力を省力化するとともに迅速かつ効率的に処理することができる鉄骨材料発注管理方法を提供すること。【解決手段】設計会社６が作成した構造図を元に３次元ＣＡＤによる鉄骨部材の全体的構成である一般図と各部材毎の詳細図が例えばＤＸＦファイル形式で作成される。このデータは設計会社６、施工会社７、ファブリケーター９で活用されるとともに、受発注サーバ２でＣＬファイル形式のデータに変換されてＤＢサーバ３に蓄積される。加工を依頼するシャーリング会社が決定されると、メールサーバ４から電子メールで通知され、シャーリング会社ではＤＢサーバ３からＣＬデータを落としてＮＣデータに変換してシャーリング加工に用いる。【選択図】　　　図１
2004038810.tif 000002
【特許請求の範囲】
【請求項１】
記憶手段と通信手段を備えたコンピュータが
任意の鉄骨工事の設計書の部材毎の形状を示す３次元ＣＡＤデータを入力する３次元ＣＡＤデータ入力のステップと、
前記部材毎に対応した文字情報を記録した部材データを入力する部材データ入力のステップと、
前記入力された３次元ＣＡＤデータからＮＣ制御のための部材毎のＣＬデータを抽出して前記記憶手段に記憶するＣＬデータ抽出のステップと、
前記ＣＬデータから部材毎の形状を示す部材形状データを抽出して前記記憶手段に記憶する部材形状データ抽出のステップと、
発注業者から指定の受注業者への発注を受ける発注のステップと、
前記発注があったときに前記受注業者に通知を行う発注通知のステップと、
前記発注があったときに前記指定の受注業者からの要求があった場合に前記記憶手段に記憶された部材データ、ＣＬデータ、部材形状データの読み出しを許可するアクセス許可のステップと
を実行することを特徴とする鉄骨材料発注管理方法。
【請求項２】
前記通信手段はインターネットを介して通信可能に構成され、前記コンピュータは、インターネットに接続されるウエブサーバとして構成され、前記記憶手段は、前記ウエブサーバとＬＡＮ接続されたデータベースサーバとして構成され、前記発注業者の端末及び前記受注業者の端末とインターネットを介して通信を行うことを特徴とする請求項１に記載の鉄骨材料発注管理方法。
【請求項３】
前記ＣＬデータから部材毎の重量データを演算して前記記憶手段に記憶する重量データ抽出のステップをさらに実行し、前記アクセス許可のステップにおいて前記重量データの読み出しをさらに許可することを特徴とする請求項１又は請求項２に記載の鉄骨材料発注管理方法。
【請求項４】
前記受注業者からの出荷データを受信記憶する出荷データ登録のステップと、
前記発注業者からの要求により登録された出荷データを送信して出荷を確認する検収のステップとをさらに実行することを特徴とする請求項１乃至請求項３のいずれか１項に記載の鉄骨材料発注管理方法。
【請求項５】
前記ウエブサーバとＬＡＮ接続されたメールサーバをさらに備え、前記発注通知のステップにおいて、前記受注業者に電子メールで通知をおこなうことを特徴とする請求項１乃至請求項４のいずれか１項に記載の鉄骨材料発注管理方法。
【請求項６】
前記３次元ＣＡＤデータは、各部材の詳細な加工内容が把握可能な詳細図と、詳細図が完成する前の段階で、少なくとも各部材の大きさが把握可能な一般図とを作成し、
前記発注のステップは、前記詳細図の完成前であって、一般図の完成後に、当該一般図に基づいて切板ロールの発注を行う仮発注のステップと、詳細図の完成後に、当該詳細図に基づいて作成されたＣＬデータにより部材の切板原寸加工の要求を行う本発注のステップとを備えることを特徴とする請求項１乃至請求項５のいずれか１項に記載の鉄骨材料発注管理方法。
【発明の詳細な説明】
【０００１】
【発明の属する技術分野】
本発明は、鉄骨材料発注システムに係り、詳しくは建設に当たって必要な鉄骨材料の発注及び受注の際のデータ入力を大幅に省力化するとともに迅速かつ効率的に処理する鉄骨材料発注管理方法に関する。
【０００２】
【従来の技術】
鉄骨を用いたビル建設などでは、一般に施主が建設を計画すると、まず設計会社に委託して概略の設計図（構造図）を作成する。そしてこの構造図に基づいて工事の施工を行う施工会社対して見積もりを依頼し施工会社を選択し依頼する。施工会社は、ファブリケーターにこの工事の設計図（構造図）を渡し、必要な鉄骨材料の見積もりを依頼する。施工会社は工事が決定されると、ファブリケーターに鉄骨材料の手配を要請する。ファブリケーターは概略の構造図からＣＡＤ（Ｃｏｍｐｕｔｅｒ　Ａｉｄｅｄ　Ｄｅｓｉｇｎ）業者（図面作成会社）に実際の建設のために必要な鉄骨材料の一般図と、さらに部材毎の詳細図や、加工指示書ともなる原寸図面の作成を依頼する。この場合、従来図面作成業者は、これらの図面を２次元ＣＡＤを使用して作成するのが一般的であった。この場合は、作成された２次元ＣＡＤデータでは鉄板の厚板（ロール材）を切断して切板に加工するシャーリング会社では、そのまま使用できない。そこでファブリケーターは図面作成会社にシャーリング会社への発注のために紙に打出された一般図や、詳細図から人手で部材を拾い出した部材の一覧表を作ってファクシミリをしたり宅配や郵送することで発注をするようにしていた。シャーリング会社は、この一般図、詳細図や部材の一覧表から、必要な鉄骨部材の量を予想して商社を介して鋼材メーカーから原材料であるロール材を手配していた。また、シャーリング加工に必要なＮＣデータは、シャーリング会社で作成していた。なお、近年３次元ＣＡＤも導入され始めてきた。
【０００３】
【発明が解決しようとする課題】
ところが、２次元ＣＡＤでは、一般図、詳細図と呼ばれる複数の図面データから必要な鉄鋼材料を人手で拾い出し、一覧表をファックス送信するなどして発注を行っていたため、発注に時間がかかってしまうという問題があった。またビル全体で使われる鋼材の種類や量を把握できないため鉄鋼メーカーへの発注が小口になり、効率が悪く、建設のためのリードタイムも長くかかるという問題があった。また、３次元ＣＡＤが導入された場合でも、部材毎の形状のＣＡＤデータがあっても、そのままの加工に使用できないという事情は同様であった。
【０００４】
本発明は、上記課題を解決するため、建設に当たって必要な鉄骨材料の発注を、データ入力を大幅に省力化するとともに迅速かつ効率的に処理することができる鉄骨材料発注管理方法を提供することにある。
【０００５】
【課題を解決するための手段】
上記課題を解決するため、請求項１に記載の鉄骨材料発注管理方法では、記憶手段と通信手段を備えたコンピュータが任意の鉄骨工事の設計書の部材毎の形状を示す３次元ＣＡＤデータを入力する３次元ＣＡＤデータ入力のステップと、前記部材毎に対応した文字情報を記録した部材データを入力する部材データ入力のステップと、前記入力された３次元ＣＡＤデータからＮＣ制御のための部材毎のＣＬデータを抽出して前記記憶手段に記憶するＣＬデータ抽出のステップと、前記ＣＬデータから部材毎の形状を示す部材形状データを抽出して前記記憶手段に記憶する部材形状データ抽出のステップと、発注業者から指定の受注業者への発注を受ける発注のステップと、前記発注があったときに前記受注業者に通知を行う発注通知のステップと、前記発注があったときに前記指定の受注業者からの要求があった場合に前記記憶手段に記憶された部材データ、ＣＬデータ、部材形状データの読み出しを許可するアクセス許可のステップとを実行することを要旨とする。
【０００６】
請求項２に記載の鉄骨材料発注管理方法では、請求項１に記載の鉄骨材料発注管理方法の構成に加え、前記通信手段はインターネットを介して通信可能に構成され、前記コンピュータは、インターネットに接続されるウエブサーバとして構成され、前記記憶手段は、前記ウエブサーバとＬＡＮ接続されたデータベースサーバとして構成され、前記発注業者の端末及び前記受注業者の端末とインターネットを介して通信を行うことを要旨とする。
【０００７】
請求項３に記載の鉄骨材料発注管理方法では、請求項１又は請求項２に記載の鉄骨材料発注管理方法の構成に加え、前記ＣＬデータから部材毎の重量データを演算して前記記憶手段に記憶する重量データ抽出のステップをさらに実行し、前記アクセス許可のステップにおいて前記重量データの読み出しをさらに許可することを要旨とする。
【０００８】
請求項４に記載の鉄骨材料発注管理方法では、請求項１乃至請求項３のいずれか１項に記載の鉄骨材料発注管理方法の構成に加え、前記受注業者からの出荷データを受信記憶する出荷データ登録のステップと、前記発注業者からの要求により登録された出荷データを送信して出荷を確認する検収のステップとをさらに実行することを要旨とする。
【０００９】
請求項５に記載の鉄骨材料発注管理方法では、請求項１乃至請求項４のいずれか１項に記載の鉄骨材料発注管理方法の構成に加え、前記ウエブサーバとＬＡＮ接続されたメールサーバをさらに備え、前記発注通知のステップにおいて、前記受注業者に電子メールで通知をおこなうことを要旨とする。
【００１０】
請求項６に記載の鉄骨材料発注管理方法では、請求項１乃至請求項５のいずれか１項に記載の鉄骨材料発注管理方法の構成に加え、前記３次元ＣＡＤデータは、各部材の詳細な加工内容が把握可能な詳細図と、詳細図が完成する前の段階で、少なくとも各部材の大きさが把握可能な一般図とを作成し、前記発注のステップは、前記詳細図の完成前であって、一般図の完成後に、当該一般図に基づいて切板ロールの発注を行う仮発注のステップと、詳細図の完成後に、当該詳細図に基づいて作成されたＣＬデータにより部材の切板原寸加工の要求を行う本発注のステップとを備えることを要旨とする。
【００１１】
【発明の実施の形態】
以下、本発明を具体化した一実施形態である鉄骨材料発注管理システム（以下本システム１と略記する。）による鉄骨材料発注管理方法を図１〜図５にしたがって説明する。
【００１２】
図１は、本システム１の構成の概略を示すブロック図である。本システム１は、図１に示すように受発注サーバ２、ＤＢ（Ｄａｔａ　Ｂａｓｅ）サーバ３、メールサーバ４が同一ノードのＬＡＮ（Ｌｏｃａｌ　Ａｒｅａ　Ｎｅｔｗｏｒｋ）により接続されたインターネットのサーバとして構築されている。これらのサーバは、共通のＡＰＩ（Ａｐｐｌｉｃａｔｉｏｎ　Ｐｒｏｇｒａｍ　Ｉｎｔｅｒｆａｃｅ）によりデータのやりとりが可能に構成されている。
【００１３】
受発注サーバ２は、ＴＣＰ／ＩＰのプロトコルによるインターネットウエブサーバとして機能する周知のコンピュータシステムで、図示しないＣＰＵ、ＲＡＭ、ＲＯＭ、ＨＤＤ（ハードディスクドライブ）、ＣＤ−ＲＯＭ　ドライブ、ＬＡＮボード等各種インターフェイスを備える。
【００１４】
また、ＯＳ（Ｏｐｅｒａｔｉｎｇ　Ｓｙｓｔｅｍ）及びＷｅｂ　ＳｅｒｖｅｒＳｏｆｔがインストールされる。また、アクセス処理プログラム、受発注システム処理プログラム、データ変換処理プログラムなどのプログラムがＨＤＤに格納されており、これらが実行され受発注サーバ２にアクセス処理、受発注システム処理、データ変換処理の機能を発揮させる。
【００１５】
また、受発注サーバ２には、ＣＧＩ（Ｃｏｍｍｏｎ　Ｇａｔｅｗａｙ　Ｉｎｔｅｒｆａｃｅ）や、ＡＳＰ（Ａｃｔｉｖｅ　Ｓｅｒｖｅｒ　Ｐａｇｅｓ・登録商標）が備えられ、発注の依頼などを処理する。具体的には、ファブリケーター９が、アクセス中のサイトにおいて受注業者であるシャーリング会社１０を指定して発注した場合は、処理に必要なＤＢサーバ３を読出し、認証や登録を行う。発注の登録が完了したときには、メールサーバ４から指定されたシャーリング会社１０に受注があった旨の電子メールを送信させる。
ここで、図２は、受発注サーバ２のデータ変換処理についての流れを示すフローチャートである。データ変換処理プログラムは、ＤＸＦ→ＣＬ変換プログラム２２、重量変換プログラム２４、部材形状データ読出しプログラム２７を備えている。
【００１６】
ＤＸＦ→ＣＬ変換プログラム２２は、ＤＸＦデータ２１をＣＬ（ＣｕｔｔｅｒＬｏｃａｔｉｏｎ）データに変換するプログラムである。３次元ＣＡＤは、ファイル形式として例えばＤＸＦデータ２１が用いられる。なお、ここで入力されるＤＸＦデータ２１は、全体の設計図から、部材毎のデータとして抽出されている。また、ＤＸＦデータ２１は、３次元ＣＡＤデータの一例であり、３次元ＣＡＤデータはこれらに限定されるものではなく、他の形式によってもよいことは言うまでもない。
【００１７】
また、ＣＬデータ２３はＮＣ（Ｎｕｍｅｒｉｃ　Ｃｏｎｔｏｒｏｌ）マシンに用いるＮＣデータに変換が容易なファイル形式である。ＮＣデータは、機種依存のデータ形式であり、ＣＬデータ２３は、これらＮＣデータの形式の交換のために、広く鉄骨業界で共通のファイル形式として使用されるものである。そのため、シャーリング会社（ロール材と呼ばれる厚板を切断加工して切板に加工する会社）では、ＣＬデータ２３があれば、容易にＮＣデータに変換してＮＣマシンで加工ができる。逆にＮＣデータでは、シャーリング会社の機種により使用できない場合が生じる。
【００１８】
さらに、ＣＬデータ２３は、設計書に含まれる部材の概略の大きさがわかるＣＡＤデータに基づく切板明細データと、各部材の原寸のＣＡＤデータに基づく切板原寸データの場合がある。これは、個別の部材の加工のための原寸データのＣＡＤデータの作成に時間がかかるため、各部材の大きさがわかった段階で仮発注を行い、材料の確保を行うためのものである。
【００１９】
重量変換処理プログラム２４は、部材別のＣＬデータ２３から、その部材の重量を部材別の重量データ２５として演算、出力する。この重量データ２５により使用する鉄骨の量が積算できる。
【００２０】
部材形状データ読出しプログラム２７は、部材データ２６から部材形状データ２８を読み出すプログラムである。部材データ２６は、部材ＩＤ、工事ＩＤ、部材名、部材マーク、材質、注文、板厚、幅、長さ、加工（幅）、加工（長さ）、数量、重量、スカラップ、エキストラ、開先、孔明、曲げ、ショット表、ショット裏、型、切断、適用、登録日、スカラップパターン、キャンセル、ＤＸＦファイル名、ＣＬファイル名、登録属性などの情報を含むデータで、例えばＣＳＶ（Ｃｏｍｍａ　Ｓｅｐａｒａｔｅｄ　Ｖａｌｕｅ）フォーマットなどのファイル形式で構成される。部材形状データ２８は、この部材データ２６から、形状に関わるデータを中心に抽出したデータである。
【００２１】
ＤＢサーバ３は、ＴＣＰ／ＩＰのプロトコルによるインターネットウエブサーバとして機能する周知のコンピュータシステムで、受発注サーバ２を介してデータの蓄積、検索を行うサーバコンピュータである。図示しないＣＰＵ、ＲＡＭ、ＲＯＭ、ＨＤＤ、ＣＤ−ＲＯＭ　ドライブ、ＬＡＮボード等各種インターフェイスを備える。
【００２２】
ＯＳ（Ｏｐｅｒａｔｉｎｇ　Ｓｙｓｔｅｍ）及びデータベースを管理するＳＱＬ（Ｓｔｒｕｃｔｕｒｅｄ　Ｑｕｅｒｙ　Ｌａｎｇｕａｇｅ）によるＤＢシステムがインストールされる。そのため、ＤＢサーバ３にデータベース機能を発揮させる。
【００２３】
ＤＢサーバ３に格納されるデータとして具体的には、「企業マスタ」「社員マスタ」「工事マスタ」「部材データ」「発注書データ」「発注部材データ」「出荷書データ」「出荷部材データ」のようなものがある。「企業マスタ」は発注企業や受注企業の情報を蓄積したものである。「社員マスタ」は、個人情報を蓄積したものである。「工事マスタ」は、工事別の情報を蓄積するものである。「部材データ」は、部材のデータを蓄積したものである。「発注書データ」は、発注書のデータを蓄積したものである。「発注部材データ」は、発注部材に関するデータを蓄積したものである。「出荷書データ」は、出荷書のデータを蓄積したものである。「出荷部材データ」は、出荷部材のデータを蓄積したものである。
【００２４】
また、本実施形態では、メールサーバ４を備える。メールサーバ４は、ＳＭＴＰ（Ｓｉｍｐｌｅ　Ｍａｉｌ　Ｔｒａｎｓｆｅｒ　Ｐｒｏｔｏｃｏｌ）及びＰＯＰ（Ｐｏｓｔ　Ｏｆｆｉｃｅ　Ｐｒｏｔｏｃｏｌ）３のプロトコルに対応する電子メールシステムを備えた周知のメールサーバである。クライアントコンピュータであるファブリケーター９からの発注に関する電子メールを受信したり、クライアントコンピュータであるシャーリング会社１０に発注通知に関する電子メールを発信したりする。電子メールの送受信は、受発注サーバ２のアクセス処理プログラム、受発注システム処理プログラムによって処理される。
【００２５】
インターネット１３は、図示を省略したルータ、モデム、若しくは公衆回線を介してＩＳＰ（Ｉｎｔｅｒｎｅｔ　Ｓｅｒｖｉｃｅ　Ｐｒｏｖｉｄｅｒ）などを備える。ＷＷＷ（Ｗｏｒｌｄ　Ｗｉｄｅ　Ｗｅｂ）サーバコンピュータとしての受発注サーバ２とクライアントコンピュータとしてのファブリケーター９、シャーリング会社１０とをＴＣＰ／ＩＰのプロトコルで送受信可能に接続する。なお、これらの接続は、ＩＰ／ＶＰＮ（Ｖｉｒｔｕａｌ　Ｐｒｉｖａｔｅ　Ｎｅｔｗｏｒｋ）として暗号化されて送受信される。また、複数のシャーリング会社から受注した受注業者であるシャーリング会社には、例えば、電子メールによりパスワードや秘密鍵などが送付され、そのシャーリング会社のみがＤＢサーバ３のＨＤＤの所定領域に記憶された発注に係るデータのダウンロードが可能とされる。
【００２６】
施主５は、業務の流れをあらわすために参考に示したもので、施主５から設計会社６への情報の流れは、コンピュータによるデータ通信に限らず、何らかの方法で工事の依頼ができればよい。
【００２７】
設計会社６は、施主５からの依頼を受けて、具体的な建造物の設計を行う業者の端末の一例を示す。設計会社６は周知の通信可能なコンピュータを備え、２次元ＣＡＤソフトウエア若しくは３次元ＣＡＤソフトウエアがインストールされている。設計会社６では、鉄骨材料の個々の部材までは細かく設計しないが、構造物全体の構造を示す構造図を作成し、必要な部材の大きさ、形状などを特定可能とする。この構造図は３次元ＣＡＤで作成してもよいが、２次元ＣＡＤで作成してもよい。
【００２８】
施工会社７は、実際の工事を施工する業者の端末の一例を示すものである。施工会社７は、通信可能な周知のコンピュータを備え、３次元ＣＡＤソフトウエアがインストールされている。施工会社７では、設計会社６から構造図を受取り、これを根拠にファブリケーター９に対して見積もりを行う。
【００２９】
ファブリケーター９は、複数存在する発注業者であるファブリケーターの端末の一例で、インターネット１３に接続された周知のクライアントコンピュータである。図示しないＣＰＵ、ＲＡＭ、ＲＯＭ、ＨＤＤ、ＣＤ−ＲＯＭ、ＬＡＮボード、各種インターフェイスが備えられ、ＣＲＴなどからなる表示手段９ａや、例えばキーボード、マウスなどの入力手段９ｂが備えられる。また、ＯＳ及びＷＷＷブラウザがインストールされ、インターネット１３を介して指定の、例えば受発注サーバ２のＵＲＬ（Ｕｎｉｆｏｒｍ　Ｒｅｓｏｕｒｃｅ　Ｌｏｃａｔｏｒ）若しくはＩＰアドレスを指定してアクセスすることができる。
【００３０】
３次元ＣＡＤ８は、３次元ＣＡＤ業者（図面作成会社）の端末の一例を示す。３次元ＣＡＤ８は、ＣＰＵ、ＲＡＭ、ＲＯＭ、ＨＤＤ、ＣＤ−ＲＯＭ、通信手段を備えた周知のコンピュータから構成され、キーボード、マウス等の入力手段８ｂと、図示しない表示手段、記憶手段８ａを備える。また、３次元ＣＡＤソフトウエアと表計算ソフトウエアがインストールされている。設計会社６で２次元で作成された概略の設計図である「構造図」が、施工会社７を介してデータ或いは紙図面を渡されると、工事に必要な部材の概略が特定できるように３次元ＣＡＤ８により３次元の設計図である「一般図」を作成する。本実施形態では、この一般図はＤＸＦファイル形式のデータで作成されている。この一般図は各部材の大きさが認識できるため、この段階でこれらの部材の材料の手配が可能になる。続いて、この一般図から、部材毎の形状が認識できる部材毎のＤＸＦデータの「詳細図」が作成される。この一般図及び詳細図に関しては、設計会社６、施工会社７、ファブリケーター９にフィードバックのために送信される。
【００３１】
そして、この詳細図から実際の加工指示書となるＣＬデータの「原寸資料」が作成される。この原寸資料は、シャーリング会社１０に送信されて、これに基づいてシャーリング加工を行う。
【００３２】
シャーリング会社１０は、厚板（ロール材）を所定の形状に切断するシャーリング加工を行う本発明の受注業者となる会社の端末の一例である。シャーリング会社１０は、インターネット１３を介してＷＷＷサーバコンピュータである受発注サーバ２と通信可能な周知のクライアントコンピュータとして構成されている。図示しないＣＰＵ、ＲＡＭ、ＲＯＭ、ＨＤＤ、ＣＤ−ＲＯＭ、ＬＡＮボード、各種インターフェイスが備えられ、ＣＲＴなどからなる表示手段１０ｃや、例えばキーボード、マウスなどの入力手段１０ｄが備えられる。また、データベース１０ａを備える。ＯＳ及びＷＷＷブラウザがインストールされ、インターネット１３を介して指定の、例えば受発注サーバ２のＵＲＬ（Ｕｎｉｆｏｒｍ　Ｒｅｓｏｕｒｃｅ　Ｌｏｃａｔｏｒ）若しくはＩＰアドレスを指定してアクセスすることができる。
【００３３】
さらに、ＮＣマシン１０ｂを備え、受信したＣＬデータに基づいてＮＣマシンに適合したＮＣデータに変換し、このＮＣマシン１０ｂでシャーリング加工をおこなう。
【００３４】
なお、商社１１と鋼材メーカー１２はコンピュータ端末であって、商社１１と鋼材メーカー１２、商社１１とシャーリング会社１０とはそれぞれ通信可能に構成されている。そのため、シャーリング会社１０は、商社１１を介し鋼材メーカーに厚板の発注を行う。
【００３５】
次に、このように構成された鉄骨材料発注管理システム１について、代表的な発注業務の流れにおける本システム１の技術的作用の一例を図１に従って説明する。まず、施主５が鉄骨を用いたビル建設を計画すると、複数の設計会社６に希望や条件を伝えて、これに合う設計会社６を選択し、必要なデータを転送し設計を委託する。設計会社６は、この条件に沿って概略の設計図（構造図）を作成する。そしてこの構造図に基づいて工事の施工を行う施工会社７を選択するため各社に見積もりを要求し、その中から条件の良い施工会社を選択し工事の施工を依頼する。
【００３６】
次に工事の施工を請け負った施工会社７は、複数のファブリケーター９にこの工事の設計図（構造図）を示し、必要な鉄骨材料の見積もりを要求する。これと同時に、施工会社７は、概略の構造図から３次元ＣＡＤ業者８（図面作成会社）に建設のために必要な鉄骨材料の一般図と、さらに部材毎の詳細図を依頼する。施工会社７は見積もりや納期等の条件が合致すれば、そのファブリケーター９に鉄骨材料の手配を要請する。請け負ったファブリケーター９は、条件に従って鉄骨部材を調達する。３次元ＣＡＤ業者８では、一般図と詳細図を、３次元ＣＡＤにより作成しＤＸＦファイルで出力する。
【００３７】
この一般図は、構造図に基づいて作成され、例えば一般図が７日でできるとすると、詳細図は、個別の部材に関するものであり、例えば３０日程度かかる。詳細図が完成しない限り実際の加工のデータの基礎となるＣＬデータによる「原寸資料」はできず、実際の加工に用いるＮＣデータは、さらに「原寸資料」から作成される。つまり、施工会社７としては、構造図を入手できた時点で、発注先であるファブリケーター９に構造図を渡して、発注先の選択を開始するとともに、同時に３次元ＣＡＤ業者８に構造図を渡して３次元ＣＡＤのデータ化を開始するのが効率的である。もちろん、設計会社６で構造図が完成した時点で即３次元ＣＡＤによる一般図、詳細図の作成に取りかかることも望ましい。
【００３８】
このように、一般図が完成すると、詳細図が完成する前であっても、各部材の詳細な形状等は不明であるが、概ね必要な厚板の所要量がわかる。従って、各部材の材料となる厚板からシャーリング加工して所定の大きさに切断した切板を準備することが可能になる。また、一般図が完成すると部材毎に詳細図を作成するが、順次完成した詳細図からＣＬデータによる原寸資料を作成することが可能になる。そのため、本実施の形態では３次元ＣＡＤ業者８では、完成した詳細図をインターネット１３、本システム１の受発注サーバ２を介してＤＢサーバ３に、工事別に蓄積する。
【００３９】
ここで、仮発注である切板ロール発注と、本発注である切板原寸発注を説明する。図３は、切板ロール発注の手順を示すフローチャートである。まず、３次元ＣＡＤ業者８による一般図が完成すると（Ｓ１）、このデータをＤＸＦファイルとして出力する（Ｓ２）。このＤＸＦファイルをインターネット１３を介して
サーバである受発注サーバ２に例えばＦＴＰによりアップロードする（Ｓ３）。このＤＸＦファイルの転送には、ＤＸＦファイル名、工事Ｎｏ．ファブリケーターを特定するＩＤ、シャーリング会社を特定するＩＤ等が含まれており、受発注サーバ２では、これらを関連付けてＤＢサーバ３に登録（記憶）する（Ｓ４）。受発注サーバ２では、転送された情報から指定された受注業者であるファブリケーター９に登録された旨をメールサーバ４から電子メールで通知する（Ｓ５）。
【００４０】
登録があった旨の電子メールを受領したファブリケーター９は、ＷＷＷブラウザにより指定のウエブサイトにアクセスして、電子メールで通知されたパスワードで所定のＤＸＦファイルをダウンロードする（Ｓ６）。ファブリケーター９では、ダウンロードされたＤＸＦファイルの内容を確かめてＤＸＦチェックを行い（Ｓ７）、内容が正しければ、シャーリング会社１０を特定しての仮発注を受発注サーバ２に対して行う（Ｓ８）。受発注サーバ２では、ファブリケーター９からの仮発注を受けた場合は、メールサーバ４から電子メールで指定されたシャーリング会社１０に通知する（Ｓ９）。シャーリング会社１０では、仮発注の通知があった場合、ＷＷＷブラウザにより指定のウエブサイトにアクセスして、電子メールで通知されたパスワードで所定のＤＸＦファイルをダウンロードする（Ｓ１０）。そして、ＤＸＦファイルにより部材別に形状が特定されているため、この形状に基づいてロール材から切板のカットを調整する「ロール取合い」を行い（Ｓ１１）、このロール取合いの結果必要とされたロール材を商社１１に発注する（Ｓ１２）。
【００４１】
次に、図４、図５は切板原寸発注の手順を示すフローチャートである。以下、切板原寸発注について説明する。まず３次元ＣＡＤ業者８で切板原寸である詳細図が作成される（Ｓ２１）。次にファブリケーター９からのリクエストがあればこれを受け入れ（Ｓ２２）、完成原寸のＤＸＦファイル（詳細図）と関連データをＣＳＶファイルで出力する（Ｓ２３）。このデータが受発注サーバ２に転送される（Ｓ２４）。
【００４２】
受発注サーバ２では、３次元ＣＡＤ業者８からのＤＸＦファイルを登録（記憶）し（Ｓ２５）、これらを前述のようにＣＬファイルに変換する（Ｓ２６）。また、ＣＬファイルから重量計算を行う（Ｓ２７）。一方部材データを登録し（Ｓ２８）、部材一覧を作成する（Ｓ２９）。そして、ファブリケーター９にこのファイルを作成したことを通知する（Ｓ３０）。
【００４３】
ファブリケーター９では、このＤＸＦファイルをダウンロードするとともに（Ｓ３１）、ＤＸＦファイルの内容をチェックし（Ｓ３２）、必要に応じて修正する（Ｓ３２）。修正があった場合は修正ＤＸＦをアップロードして（Ｓ３４）、再びＳ２５からの手順を繰り返す。修正が完了したら部材一覧を確認し（Ｓ３５）、不足データがあれば入力をし（Ｓ３６）、作業計画を確定する（Ｓ３７）。
【００４４】
受発注サーバ２は、発注が確定すると（Ｓ３８）、シャーリング会社１０に通知をする（Ｓ３９）。通知を受けたシャーリング会社１０は、ＣＬファイル、作業計画書をダウンロードｇ完了すると（Ｓ４０）、受発注サーバ２での受注が確定する（Ｓ４１）。そして、シャーリング会社１０では、確定的な取合いを行う（Ｓ４２）。
【００４５】
以上のような手順でシャーリング会社１０での取り合いが完了すると、商社１１、鋼材メーカー１２に対して確定的な材料の発注が行われる。なお、受注業者であるシャーリング会社１０からは、受発注サーバ２へ出荷データがフィードバックされ、出荷データを受信、ＤＢサーバ３に記憶される。受発注サーバ２では、発注業者であるファブリケーター９からの要求で、ＤＢサーバ３に登録（記憶）された出荷データと発注データを比較して、出荷残などを算出する。このように構成することで発注業者であるファブリケーター９は極めて容易に検収作業をおｋなうことができる。
【００４６】
上記実施形態の鉄骨材料発注管理システム１及び方法によれば、以下のような効果を得ることができる。
（１）上記実施形態では、３次元ＣＡＤによりデータを作成してるため、最初のデータに部材形状の情報を含んでいる。そのため、ファイル形式を変更して設計会社６、施工会社７、ファブリケーター９、受発注サーバ２、シャーリング会社１０、商社１１、鋼材メーカー１２のいずれでも、データ形式を変更するなどして新たにデータを入力しなくてもデータを利用することができるという効果がある。
【００４７】
（２）また、データ形式を変更してＤＢサーバ３に蓄積しておけるため、発注先が決定すれば直ちにデータの転送ができる。そのため、加工までのリードタイムを短縮することができるという効果がある。
【００４８】
なお、上記実施形態は以下のように変更してもよい。
○　３次元ＣＡＤ業者８は、本システムの受発注サーバ２と同一のＬＡＮに接続されて一体運用されるような構成であってもよい。
【００４９】
○　なお、本システム１のサーバ構成は一例であり、他のＣＧＩ用のサーバや複数のＤＢサーバを備えたものであってもよい。また、受発注サーバ２にメールサーバ４が一体に含まれているような構成であってもよい。
【００５０】
○　ネットワークは、インターネット１３を例に説明したが、これに限定されるものではなく、何らかの方法で通信できればよい。
○　説明の対象はロール材（厚板）からシャーリング加工で切板を作成するものであったが、これらは一例で、形鋼なども対象とすることができるのはいうまでもない。また、対象となる工事もビル建設に限定されない。
【００５１】
次に、上記実施形態及び別例から把握できる技術的思想について以下に追記する。
（追記１）記憶手段と通信手段を備えたコンピュータを、任意の鉄骨工事の設計書の部材毎の形状を示す３次元ＣＡＤデータを入力する３次元ＣＡＤデータ入力手段と、前記部材毎に対応した文字情報を記録した部材データを入力する部材データ入力手段と、前記入力された３次元ＣＡＤデータからＮＣ制御のための部材毎のＣＬデータを抽出して前記記憶手段に記憶するＣＬデータ抽出手段と、前記ＣＬデータから部材毎の形状を示す部材形状データを抽出して前記記憶手段に記憶する部材形状データ抽出手段と、発注業者から指定の受注業者への発注を受ける発注手段と、前記発注があったときに前記受注業者に通知を行う発注通知手段と、前記発注があったときに前記指定の受注業者からの要求があった場合に前記記憶手段に記憶された部材データ、ＣＬデータ、部材形状データの読み出しを許可するアクセス許可手段として機能させることを特徴とする鉄骨材料発注管理システム。
【００５２】
（追記２）前記通信手段はインターネットを介して通信可能に構成され、前記コンピュータが、インターネットに接続されるウエブサーバとして機能され、前記記憶手段は、前記ウエブサーバとＬＡＮ接続されたデータベースサーバとして機能され、前記発注業者の端末及び前記受注業者の端末とインターネットを介して通信を行うことを特徴とする追記１に記載の鉄骨材料発注管理システム。
【００５３】
（追記３）前記ＣＬデータから部材毎の重量データを演算して前記記憶手段に記憶する重量データ抽出手段として機能され、前記アクセス許可のステップにおいて前記重量データの読み出しをさらに許可することを特徴とする追記１又は追記２に記載の鉄骨材料発注管理システム。
【００５４】
（追記４）前記受注業者からの出荷データを受信記憶する出荷データ登録手段と、前記発注業者からの要求により登録された出荷データを送信して出荷を確認する検収手段としてさらに機能させられること特徴とする追記１乃至追記３のいずれか１項に記載の鉄骨材料発注管理システム。
【００５５】
（追記５）前記ウエブサーバとＬＡＮ接続されたメールサーバをさらに備え、前記発注通知手段において、前記受注業者に電子メールで通知をおこなうことを特徴とする追記１乃至追記４のいずれか１項に記載の鉄骨材料発注管理システム。
【００５６】
（追記６）記憶手段と通信手段を備えたコンピュータに
任意の鉄骨工事の設計書の部材毎の形状を示す３次元ＣＡＤデータを入力する３次元ＣＡＤデータ入力のステップと、
前記部材毎に対応した文字情報を記録した部材データを入力する部材データ入力のステップと、
前記入力された３次元ＣＡＤデータからＮＣ制御のための部材毎のＣＬデータを抽出して前記記憶手段に記憶するＣＬデータ抽出のステップと、
前記ＣＬデータから部材毎の形状を示す部材形状データを抽出して前記記憶手段に記憶する部材形状データ抽出のステップと、
発注業者から指定の受注業者への発注を受ける発注のステップと、
前記発注があったときに前記受注業者に通知を行う発注通知のステップと、
前記発注があったときに前記指定の受注業者からの要求があった場合に前記記憶手段に記憶された部材データ、ＣＬデータ、部材形状データの読み出しを許可するアクセス許可のステップと
を実行させることを特徴とする鉄骨材料発注管理プログラム。
【００５７】
（追記７）前記通信手段はインターネットを介して通信可能に構成され、前記コンピュータは、インターネットに接続されるウエブサーバとして構成され、前記記憶手段は、前記ウエブサーバとＬＡＮ接続されたデータベースサーバとして構成され、前記発注業者の端末及び前記受注業者の端末とインターネットを介して通信を行うことを特徴とする追記６に記載の鉄骨材料発注管理プログラム。
【００５８】
（追記８）前記ＣＬデータから部材毎の重量データを演算して前記記憶手段に記憶する重量データ抽出のステップをさらに実行させ、前記アクセス許可のステップにおいて前記重量データの読み出しをさらに許可することを特徴とする追記６又は追記７に記載の鉄骨材料発注管理プログラム。
【００５９】
（追記９）前記受注業者からの出荷データを受信記憶する出荷データ登録のステップと、前記発注業者からの要求により登録された出荷データを送信して出荷を確認する検収のステップとをさらに実行させることを特徴とする追記６乃至追記８のいずれか１項に記載の鉄骨材料発注管理プログラム。
【００６０】
（追記１０）前記ウエブサーバとＬＡＮ接続されたメールサーバをさらに備え、前記発注通知のステップにおいて、前記受注業者に電子メールで通知をおこなうことを特徴とする追記６乃至追記９のいずれか１項に記載の鉄骨材料発注管理プログラム。
【００６１】
（追記１１）追記６乃至追記１０のいずれか１項に記載の鉄骨材料発注管理プログラムを記録したコンピュータ読取可能な記録媒体。
【００６２】
【発明の効果】
本発明の鉄骨材料発注管理方法によれば、建設に当たって必要な鉄骨材料の発注を、データ入力を大幅に省力化するとともに迅速かつ効率的に処理することができるという効果がある。
【図面の簡単な説明】
【図１】本システム１の構成の概略を示すブロック図。
【図２】受発注サーバ２のデータ変換処理についての流れを示すフローチャート。
【図３】切板ロール発注の手順を示すフローチャート。
【図４】切板原寸発注の手順を示すフローチャート。
【図５】切板原寸発注の手順を示すフローチャート。
【符号の説明】
１…鉄骨材料発注管理システム、２…受発注サーバ、３…ＤＢサーバ、４…メールサーバ、５…施主、６…設計会社、７…施工会社、８…３次元ＣＡＤ、９…発注業者としてのファブリケーター、１０…受注業者としてのシャーリング会社、１３…インターネット
【図１】
2004038810.tif 000003
【図２】
2004038810.tif 000004
【図３】
2004038810.tif 000005
【図４】
2004038810.tif 000006
【図５】
2004038810.tif 000007